(57)【要約】【課題】折畳み可能であり、ゴミの掃き取り作業中にゴミ袋が外れてしまうことを防止することができ、かつ、ゴミの収集作業効率を向上させることが可能な塵取を提供する。【解決手段】底板１１，第１側板１２，第２側板１３，第４側板１４とにより構成する。底板１１は、２枚の第１底板１１１と第２底板１１２とを重ねて固定可能な構成とされている。底板１１は、第１側板１２とヒンジ結合され、第１側板１２は、天板１４とヒンジ結合されている。また、点板１４は、第２側板１４とヒンジ結合されている。そして、４枚の底板１１，第１側板１２，第２側板１３，第４側板１４には、それらの位置関係を固定する第１〜第６係止部１１２ａａ，１１２ａｂ，１２５，１２６，１３５，１３６及び第１〜第６突出部１２２，１３２，１２３，１２４，１３３，１３４が設けられており、塵取を使用状態に組み立て可能である。【選択図】図１
0003129138.tif 000002
【実用新案登録請求の範囲】
【請求項１】
ゴミ袋を取り付け可能な塵取であって、
第１の底板と、
該第１の底板後端側に回動可能にヒンジ結合し、前記第１の底板の底面側に当接することにより前記ゴミ袋の開口部を挟持する当接部、及び当該当接した状態であるときに当該第１の底板の前端側に延出する延出部を有する第２の底板と、
前記第１の底板を前記第２の底板に当接した状態で係止する底板係止部と、
前記第１の底板と第１のヒンジ部を介して回動可能に結合された第１の側板と、
該第１の側板における前記第１の底板側の端部を前記第１の底板に所定角度で係止する第１係止部と、
該第１の側板と第２のヒンジ部を介して回動可能に結合された天板と、
該天板と第３のヒンジ部を介して回動可能に結合された第２の側板と、
該第２の側板における前記天板側端の反対側の端部を前記第１の底板に所定角度で係止する第２係止部と、
前記第１の側板と前記第２の側板とを連結して配置を固定する固定部材と、
前記第１の側板及び前記第２の側板においてそれぞれ前記ゴミ袋の開口部を挟持可能な複数の挟持部とを備える
ことを特徴とする塵取。
【請求項２】
前記第２の底板における延出部は、前記第１の底板と当接した状態で、延出した先端側から前記第１の底板側に向かって上り傾斜した形状であることを特徴とする請求項１記載の塵取。
【請求項３】
手持ち部として用いられる棒状部材と、
該棒状部材を天板の上面側で回動可能に支持する支持部とを備える
ことを特徴とする請求項１又は請求項２記載の塵取。
【考案の詳細な説明】
【技術分野】
【０００１】
本考案は、ごみの収集に用いられる塵取に関する。
【背景技術】
【０００２】
現在、一般に、電源を容易に供給可能な環境にある屋内清掃にあっては、掃除機が使用されている。一方、電源の供給が困難となる屋内、特に屋外においては、未だ、箒及び塵取を用いて清掃が行われている。
【０００３】
しかしながら、従来の塵取を使用する場合、概ね４つの問題点があった。第１の問題点は、ゴミを箒で掃いて塵取に入れ、塵取内のゴミをゴミ袋に移し替えるという清掃工程を繰り返し行わなければならないという問題点である。第２の問題点は、一般にゴミ袋が薄く柔らかい素材で構成されているため、ゴミを移し替える際にゴミ袋の容積が大きいほど、その開口部を全開し難いという問題点である。つまり、従来の塵取では、ゴミを移し替える際に人の手を借りるか、ゴミ袋を取り付けたポリ容器等を使用しなければならなかった。第３の問題点は、広範囲に亘って清掃を行う場合、清掃者は、箒と塵取とゴミ袋とを共に持ち運ばなければならないという問題点である。そして、第４の問題点は、収納時に塵取を折畳むことができず、占有体積が大きいという問題点である。
【０００４】
このような問題点に対して特許文献１には、折畳み可能であり、直接ゴミ袋を取り付け可能な塵取が開示されている。
【０００５】
【特許文献１】特開２０００−３４２５０４
【考案の開示】
【考案が解決しようとする課題】
【０００６】
しかしながら、特許文献１記載の塵取では、掃き込み面となる板の外側に設けられた袋押さえによりゴミ袋を係止するだけであるので、ゴミ袋の取付状態が不安定であり、ゴミ袋が外れてしまう虞があった。また、ゴミ袋を装着する枠板を有するだけの形状であるため、箒を用いて塵取にゴミを掃きいれる場合に、箒と塵取が接触する等の不都合が生じる虞があり、短時間に効率良くゴミを収集することは困難であった。
【０００７】
そこで、本考案は、このような問題を解決するものであって、折畳み可能であり、ゴミの掃き取り作業中にゴミ袋が外れてしまうことを防止することができ、かつ、ゴミの収集作業効率を向上させることが可能な塵取を提供することを目的とする。
【課題を解決するための手段】
【０００８】
本考案に係る塵取は、ゴミ袋を取り付け可能な塵取であって、第１の底板と、該第１の底板後端側に回動可能にヒンジ結合し、前記第１の底板の底面側に当接することにより前記ゴミ袋の開口部を挟持する当接部、及び当該当接した状態であるときに当該第１の底板の前端側に延出する延出部を有する第２の底板と、前記第１の底板を前記第２の底板に当接した状態で係止する底板係止部と、前記第１の底板と第１のヒンジ部を介して回動可能に結合された第１の側板と、該第１の側板における前記第１の底板側の端部を前記第１の底板に所定角度で係止する第１係止部と、該第１の側板と第２のヒンジ部を介して回動可能に結合された天板と、該天板と第３のヒンジ部を介して回動可能に結合された第２の側板と、該第２の側板における前記天板側端の反対側の端部を前記第１の底板に所定角度で係止する第２係止部と、前記第１の側板と前記第２の側板とを連結して配置を固定する固定部材と、前記第１の側板及び前記第２の側板においてそれぞれ前記ゴミ袋の開口部を挟持可能な複数の挟持部とを備えることを特徴とする。
【０００９】
上記のような構成とすることで、本考案に係る塵取は、折り畳み可能な構成を有すると共に、第１の底板と第２の底板と挟持部によりにゴミ袋を挟持させることが可能となる。したがって、ゴミ袋を強固に固定することが可能となる。また、第２の底板における延出部によりゴミ袋の開口部が直接地面に触れないので、ゴミ袋が摺れて破ける恐れがない。さらに、塵取を傾けて、ゴミ収集を行う場合であっても、箒と塵取とが接触することなく、効率良くゴミを収集することが可能となる。また、本考案に係る塵取は、固定部材を有しているので、組み立てた塵取の形状を強固に保持することができる。すなわち、固定部材は、塵取の形状を保持する筋交いとして機能する。
【００１０】
また、前記第２の底板における延出部は、前記第１の底板と当接した状態で、延出した先端側から前記第１の底板側に向かって上り傾斜した形状としてもよい。上記のような構成にすることで、塵取にゴミが引っ掛ることなく、ゴミ袋にゴミを収集することが可能となる。
【００１１】
また、棒状部材を回動可能に取り付けられた支持部を備えてもよい。上記のような構成にすることで、清掃者は、棒状部材を持ち、塵取を取り扱えるので、無理な姿勢をすることなく清掃を行うことができる。
【考案の効果】
【００１２】
以上のように本考案によれば、折畳み可能であり、ゴミの掃き取り作業中にゴミ袋が外れてしまうことを防止することができ、かつ、ゴミの収集作業効率を向上させることが可能な塵取を提供することができる。
【考案を実施するための最良の形態】
【００１３】
次に、本考案に係る塵取の実施形態について図面に基づいて説明する。
図１は、本考案の実施形態に係る塵取の斜視図であり、図２は、側面図、図３は、正面図であり、図４は、背面図である。なお、図３及び図４は、後述する第２〜第６係止部を開放状態とした状態を示す。
【００１４】
本考案の実施例に係る塵取は、図１〜図４に示すように、主に、ゴミを収集する略台形の枠型に形成されると共に底面が突出した塵取本体１と、塵取本体１の上面から垂直上方に延びる棒状の取手部材２とにより構成されている。以下、取手部材２の延びる方向を垂直方向Ｚ、塵取本体１の底面の長手方向を幅方向Ｙ、塵取本体１の底面の短手方向を奥行方向Ｘとして説明する。また、塵取本体１の底面が突出した方向を、奥行方向Ｘの先端（前方）側とする。
【００１５】
塵取本体１は、主に、底面に設けられた底板１１と、底板１１の幅方向Ｙの両端から垂直方向Ｚに所定角度を有して延びる第１側板１２及び第２側板１３と、第１側板１２及び第２側板１３の上端に形成された天板１４とから構成されている。
【００１６】
底板１１は、略平板矩形に形成されており、第１側板１２に連結して形成された第１底板１１１と、第１底板１１１に連結され、奥行方向Ｘに延びる第２底板１１２とから構成されている。
【００１７】
第１底板１１１は、奥行方向Ｘに平行に延びる第１ヒンジ部１１１ａを介して第１側板１２と回動可能に結合され一体形成されている。また、第１底板１１１の第１ヒンジ部１１１ａに対向する端部側面には、Ｙ方向に所定長さ延び上方に突出した突出部１１１ｂが形成されている。
【００１８】
第２底板１１２は、第１底板１１１の底面側に当接して配置される当接部１１２ａと、当接部１１２ａに隣接して奥行方向Ｘの先端側に延出して形成された延出部１１２ｂとから構成されている。
【００１９】
当接部１１２ａは、第１底板１１１と略同一形状に形成され、幅方向Ｙに若干延出した形状を有する。この当接部１１２ａの幅方向Ｙに若干延出した形状により第１底板１１１と第２底板１１２の当接部１１２ａとの間に段部が形成され、この段部に第２側板１３の端部が当接し、位置決めがなされる。このような形状を有する当接部１１２ａは、幅方向Ｙに平行に延びる底板ヒンジ部１１２ｃを介して第１底板１１１に結合され一体形成されている。また、当接部１１２ａは、幅方向Ｙの両端に第１及び第２突出部１２２，１３２に係止された第１及び第２係止部１１２ａａ，１１２ａｂが形成されている。
【００２０】
延出部１１２ｂは、所定の傾斜角度で傾斜しており、その先端側から末端側にいくにつれ、厚みが増し、その末端側の厚みは第１底板１１１及び当接部１１２ａを重ねた厚みと等しくなるように形成されている。つまり、延出部１１２ｂは、先端側から第１底板１１１側に向かって上り傾斜した形状である。また、延出部１１２ｂの末端側には、当接部１１２ａ側に延びる爪部１１２ｂａが形成されており、その爪部１１２ｂａにより第１底板１１１に第２底板１１２が係止固定されている。この延出部１１２ｂと当接部１１２ａとの幅方向Ｙの長さは異なるように形成されている。したがって、延出部１１２ｂの端部と第１底板１１１の突出部１１１ｂとにより、溝が構成され、この溝に第２側板１３が嵌合されている。
【００２１】
第１側板１２は、略台形板状であって、下底が上底よりも短く形成されている。この第１側板１２は、第１底板１１１に第１ヒンジ部１１１ａを介して結合され一体形成されると共に、天板１４に第２ヒンジ部１２１を介して結合され一体形成されている。また、第１側板１２は、下底側の側面に突出した第１突出部１２２が形成されており、この第１突出部１２２に第１係止部材１１２ａａが係止されている。また、第１側板１２の側面末端側近傍には、突出した第３及び第４突出部１２３，１２４と、その第３及び第４突出部１２３，１２４に係止する第３及び第４係止部１２５，１２６とが形成されている。
【００２２】
第２側板１３は、第１側板１２と同様の形状であり、略台形板状であって、下底が上底よりも短く形成されている。この第２側板１３は、天板１４に第３ヒンジ部１３１を介して結合され一体形成されている。また、第２側板１３は、下底側の側面に突出した第２突出部１３２が形成されており、この第２突出部１３２に第２係止部材１１２ａｂが係止されている。また、第２側板１３の側面末端側近傍には、突出した第５及び第６突出部１３３，１３４と、その第５及び第６突出部１３３，１３４に係止する第３及び第４係止部１３５，１３６とが形成されている。
【００２３】
また、第１側板１２の末端側上底近傍に回転軸を有し、第２側板１３の末端側上底近傍に係合した係止部材１２７が設けられている。
【００２４】
天板１４は、第２ヒンジ部１２１を介して第１側板１２と、第３ヒンジ部１３１を介して第２側板１３と結合され一体形成されている。この天板１４の上面には、取手部材２の先端を幅方向Ｙと垂直方向Ｚ面上に回動可能に軸支する支持部１４１が設けられている。
【００２５】
次に、図５及び図６を参照して、本実施形態に係る塵取の折り畳み方法について説明する。図５は、図２に示す状態からの折り畳み手順を説明する図であり、図６は、折り畳んだ状態を説明する図である。
【００２６】
図５に示すように、先ず、塵取を折り畳む場合、第１及び第２係止部材１１２ａａ，１１２ａｂを第１及び第２突出部１２２，１３２から取り外し、係止部材１２７を第２側板１３から取り外す。次に、第２側板１３を天板１４及び第１側板１２に当接させ、第２側板１３と天板１４及び第１側板１２とを重ねた状態で、第１ヒンジ部１１１ａを軸に回転させて第１底板１１１に載せる。最後に、取手部材２を支持部１４１中心に回転させ、第１側板１２の上に載せて、図６に示す状態とし、塵取の折り畳みが完了する。
【００２７】
次に、図３，図７及び図８を参照して、本実施形態に係る塵取のゴミ袋取り付け方法について説明する。ここで、図７は、塵取の図４に示す状態からゴミ袋を取り付ける状態を説明する図であり、図８は、図７のＡ部拡大図である。
【００２８】
まず、図３に示す状態から第２底板１１２を第１底板１１１から取り外し、図７に示す状態として、塵取本体１が形成する略台形状の枠内における背面側から正面側にゴミ袋３の開口部３１側を通し、ゴミ袋３の開口部３１を塵取本体１の外側に折り返した状態とする。そして、第２及び第３突出部１２３，１２４と第２及び第３係止部１２５，１２６とを係止させ、第５及び第６突出部１３３，１３４と第５及び第６係止部１３５，１３６とを係止させる。
【００２９】
次に、図８に示すように、第１底板１１１の外側に折り返されたゴミ袋３の開口部３１を第２底板１１２と第１底板１１１との間に挟持させる。この挟持は、第１及び第２突出部１２２，１３２と第１及び第２係止部１１２ａａ，１１２ａｂとの係止と、爪部１１２ｂａと第１底板１１１との上面との係止とによってなされる。
【００３０】
上記のようなゴミ袋の取り付け方法以外にも、様々な取り付け方法が可能である。例えば、以下に示す取り付け手順であってもよい。先ず、図３に示す状態から、ゴミ袋３を塵取本体１が形成する略台形状の枠内に通す。次に、第２底板１１２ａを除く塵取本体１を後ろに押し倒し、第２底板１１２ａを開いた状態とする。そして、ゴミ袋３の開口部３１を塵取本体１の外側に折り返して、第２底板１１２ａを閉じ，第１〜第６係止部１１２ａａ，１１２ａｂ，１２５，１２６，１３３，１３４を係止させ、ゴミ袋３を取り付ける。
【００３１】
上記のように、本発明の一実施形態に係る塵取は、折り畳み可能に構成されており、収納時の塵取の占有体積を縮小化することができる。また、使用時には、特に、ゴミ袋を第１底面１１１と第２底面１１２との挟持し、ゴミを収集する収集面で強固に固定することができるため、ゴミの掃き取り作業中にゴミ袋が外れてしまうことを防止することができ、ゴミの収集作業効率を向上させることができる。さらには、第１〜第６突出部１２２，１３２，１２３，１２４，１３３，１３４及び第１〜第６係止部１１２ａａ，１１２ａｂ，１２５，１２６，１３３，１３４との係止により、ゴミ袋３の開口部３１を固定する構成であるので、ゴミを収集する収集面以外の場所についても、容易にゴミ袋が離脱することはない。また、塵取本体１の第２底板１１２は、前方に突出している。したがって、清掃時に、箒と塵取本体１とが接触することなく、効率的にゴミを収集することができる。なお、上述した塵取のスケールは、限定されるものではない。例えば、塵取は、９０リットル〜４５リットルゴミ袋，或いはレジ袋などを取り付け可能な大きさとしてもよい。特に、小さなスケールの塵取であれば、その塵取を物と物との隙間に挿入可能となるので、屋内清掃に有用である。また、天板１４の幅（Ｙ方向の長さ）は、第１底板１１１及び第２底板１１２の幅（Ｙ方向の長さ）と比較して短ければよい。また、係止部材１２７は、塵取本体１に所定容量のゴミ袋を取り付け可能であれば、第２側板１３の末端側上底近傍に限らず、いずれの位置に設けても良い。
【図面の簡単な説明】
【００３２】
【図１】本考案の実施例に係る塵取の斜視図である。
【図２】本考案の実施例に係る塵取の側面図である。
【図３】本考案の実施例に係る塵取の正面図である。
【図４】本考案の実施例に係る塵取の背面図である。
【図５】本考案の実施例に係る塵取の図２に示す状態からの折り畳み手順を説明する図である。
【図６】本考案の実施例に係る塵取の図２に示す状態から折り畳んだ状態を説明する図である。
【図７】本考案の実施例に係る塵取の図４に示す状態からゴミ袋を取り付けた状態を説明する図である。
【図８】本考案の実施例に係る塵取の図７のＡ部拡大図である。
【符号の説明】
【００３３】
１…塵取本体、１１…底板、１１１…第１底板、１１２…第２底板、１２…第１側板、１３…第２側板、１４…天板、２…取手部材。
【図１】
0003129138.tif 000003
【図２】
0003129138.tif 000004
【図３】
0003129138.tif 000005
【図４】
0003129138.tif 000006
【図５】
0003129138.tif 000007
【図６】
0003129138.tif 000008
【図７】
0003129138.tif 000009
【図８】
0003129138.tif 000010